(57)【特許請求の範囲】
【請求項１】
複数の矩形状枡単体（１）を縦横に結合した形態を呈する平面矩形状を呈する枡枠主体盤部（A）に対し、平面鈎状に一体化された補強用枡部（B）を、その隣接する隅角辺である二辺に連設することに依って、当該枡枠主体盤部（A）の相隣る二辺に対する補強を成すように構成した舗装用枡枠盤。
【請求項２】
平面鈎状に一体化された補強用枡部（B）の外壁部要所個所に、充填物流通用切欠き部（Ｂ１）を形成して成る請求項1に記載の舗装用枡枠盤。
【請求項３】
充填物流通用切欠き部（Ｂ１）を、平面鈎状に一体化された補強用枡部（Ｂ）の隅角部外周壁部分に形成して成る請求項２に記載の舗装用枡枠盤。
【請求項４】
枡枠主体盤部（Ａ）を、各枡単体（１）は、縦枠（２ａ）と横枠（２ｂ）とで形成する格子状上面枠（２）に対して、当該枡単体（１）の上縁部を連ならせることに依って互いに一体結合し、当該格子状上面枠（２）には、地中からの植物の伸長を阻害しないために開口する部分を、押圧力に依り打ち抜かれる打ち抜き用線（３）で囲繞するように構成した枡枠主体盤部として成る請求項1乃至請求項3に記載の舗装用枡枠盤。
【請求項５】
打ち抜き用線（３）をミシン孔で形成して成る請求項４に記載の舗装用枡枠盤。
【請求項６】
押圧力に依り打ち抜かれる打ち抜き用線（３）で囲繞された部分内に、頂面が枡単体（１）の上縁より上部に位置するだけの高さを具えた押圧用隆起部（４）を一体形成して成る請求項4または至る請求項５に記載の舗装用枡枠盤。
【発明の詳細な説明】
【０００１】
【産業上の利用分野】
本発明は、歩道としては勿論、車道として利用が許容化されるような顕著な堅牢性を付与させた舗装用枡枠盤に関する。
【０００２】
【従来の技術】
従来のこの種の舗装用枡枠盤は、主として歩道を対象とするものであり、例えば複数の枡枠単体を縦横に結合させて全体を矩形状に形成したものを一単位とし、これを所要枚数前後左右に連結すると共に、各枡枠単体内にコンクリートを流し込むことに依って、整然と仕切られた升目状の舗装を形成するものであった。
【０００３】
【発明が解決しようとする課題】
上記したような従来の舗装用枡枠盤は、枠盤自体の周縁強度が比較的弱いため、その使用は専ら歩道用に限定されるものであった。
【０００４】
本発明は、上記したような強度的問題を解消し、歩道としては勿論、車両が走行する駐車場、または、車道の舗装としての使用が許容されるようにした、新規の舗装用枡枠盤の提供を図ったものである。
【０００５】
【発明を解決するための手段】
本発明は、複数の矩形状枡単体１を縦横に結合した形態を呈する平面矩形状を呈する枡枠主体盤部Aに対し、平面鈎状に一体化された補強用枡部Bを、その隣接する隅角辺である二辺に連設することに依って。当該枡枠主体盤部Aの相隣る二辺に対する補強を成すように構成した舗装用枡枠盤に係る。
本発明はこのような構成の採用に基づき、その全体の堅牢性向上を図り、依って、従来の問題を解決したものである。
【０００６】
更に、本発明は、枡枠主体盤部Aを、各枡単体１は、縦枠２ａと横枠２ｂとで形成する格子状上面枠２に対して、当該枡単体１の上縁部を連ならせることに依って互いに一体結合し、当該格子状上面枠２には、地中からの植物の伸長を阻害しないために開口する部分を、押圧力に依り打ち抜かれる打ち抜き用線３で囲撓するように構成することに依り、地中からの植物伸長をはかることが容易に達成されると言う、独自の効果を奏することとなる。
【０００７】
【作用】
本発明に係る舗装用枡枠盤を縦横に連結して地表を覆うと共に、各枡単体１及び平面鈎状に一体化された補強用枡部Ｂ内にコンクリート等の充填材Ｃを流し込むことに依り、地表面は図９に示すような整然たる碁盤の目状の舗装が施されることとなる。そして、枡枠主体盤部Ａ部分は、平面鈎状に一体化された補強用枡部Ｂに依る周縁部に対する補強が施され、顕著な堅牢性が付与される。
【０００８】
【実施例】
図において、Ａは平面矩形状を呈する枡枠主体盤部であって、当該枡枠主体盤部Ａは複数の矩形状枡単体１を縦横に結合した形態を呈するものである。そして、当該各枡単体１は、縦枠２ａと横枠２ｂとで形成する格子状上面枠２に対して、当該枡単体１の上縁部を連ならせることに依って、互いの一体結合を図るように構成してある。
【０００９】
Bは補強用枡部であって、上記した枡枠主体盤部Aに対し、その隣接する隅角辺である二辺に連設してある。すなわち、当該補強用枡部Bは平面鈎状に一体化され、枡枠主体盤部Aの相隣る二辺に対する補強目的が達成されるように連設してある。  B1は充填物流動用切り欠き部であって、図示の実施例にあっては、平面鈎状に一体化された補強用枡部（B）の隅角部外周壁部分に形成してある。然し乍、これ以外の外周壁部分であり、かつ、後述するように複数の舗装用枡枠盤を連結して充填物を流し込んだ際、各補強用枡部Bに対して充填物が共通して流入するよう切り欠いたものであれば、如何なる形態の切り欠き部であっても良い。
【００１０】
本発明に係る舗装用枡枠盤を縦横に連結して地表を覆うと共に、各枡単体１及び補強用枡部Ｂ内にコンクリート等の充填材を流し込むことに依り、地表面は整然たる碁盤の目状の舗装が施されることとなる。そして、枡枠主体盤部Ａ部分は、平面鈎状に一体化された補強用枡部Ｂに依る周辺部補強が施され、顕著な堅牢性が付与される。
【００１１】
本発明は、上記した平面鈎状に一体化された補強用枡部Ｂを設けたことを特徴とするものである。換言すれば、既存の枡枠主体盤部Ａに対して、当該平面鈎状に一体化された補強用枡部Ｂを追加連設したことを発明の骨子とするものである。従って、当該枡枠主体盤部Ａ自体の構成は図示のもの以外であっても良い。
【００１２】
然し乍、図示の枡枠主体盤部Ａにあっては、地中からの植物の伸長を阻害しないようにするための特別の構成を具備させてある。すなわち、上記した縦枠２ａと横枠２ｂとで形成する格子状上面枠２には、これの各枡単体１の連設部分に、地中からの植物の伸長を阻害しないようにするため、下記するような構成が採られている。以下、同構成について詳細に説明する。
【００１３】
すなわち、図1及び図３に示すように、地中からの植物の伸長を阻害しないようにするために開口される部分を、押圧力に依り打ち抜き可能とする打ち抜き用線３で囲撓すると共に、当該囲撓部分内には、その頂面が枡単体１の上縁より上位に位置するだけの高さを具えた押圧用隆起部４を形成してある。
【００１４】
図示の実施例にあっては、当該押圧用隆起部４は枡単体1の側縁に沿って二個の隆起を並べて形成してあるが、これを一個、或いは、任意の複数個に分割形成するように構成しても良い。また、このように分割形成した場合は、夫々の隆起部の間に補強用リブを格子状上面枠２の内側に設けることが、補強上の見地から好ましい。
【００１５】
上記した打ち抜き用線3としては、ミシン孔、Ｖ状溝孔が挙げられる。換言すれば、当該打ち抜き用線３は、圧力により破断可能とする線であれば良い。
【００１６】
上記した押圧用隆起部４であるが、これを打ち抜き用だけのものとして考えた場合は、その高さは、枡単体１の上縁より上位に位置するだけの高さを具えたものとするだけで良い。
然し乍、当該押圧用隆起部４の高さ設定を、後述するように流し込まれる充填物Ｃに対する圧力付与（均しのためのローラー掛け等に基づく圧縮力等）に基づく減少見込み量に即応した高さに設定することに依り、充填物の適正使用量の確認が容易に果たされると言う作用効果を奏することとなる。換言すると、当該押圧用隆起部４で囲まれた部分を、充填物の余剰量計量用枡として機能させることが出来るわけである。
【００１７】
ところで、枡単体１及び平面鈎状に一体化された補強用枡部Ｂは、上部が矩形状に開口されると共に、下方は先細状のテーパー状に形成した枡状に形成することに依って、枡枠主体盤部Ａの積み重ね状態の保管に際し、下位の枡体内に上位の枡体が差し込まれ、積み重ねの嵩高が最小化されるように構成してある。
【００１８】
なお、図示の実施例にあっては、当該枡単体１は９個としているが、これに限定されるものではない。すなわち、枡枠主体盤部Ａは、縦横に組立て連結される形態とすることが必要である。従って、当該枡単体１はこのような形態とする配列が可能とする個数であればよい。そおして、枡枠主体盤部Ａ自体の平面形状も、図示のような正方形状に限定されるものではなく、長方形状であっても良い。
【００１９】
本発明に係る舗装用枡枠盤であるが、これは互いの辺縁において縦横に連結できるように構成してある。図示の実施例にあっては、一方の隅角を構成する二辺に受け形状の係合部ａを連設し、当該隅角と対向する隅角を構成する二辺には、上方から垂下する鈎形状の係合部ｂを連設する。そして、当該係合部ａと係合部ｂとを互いに引掛けることに依って、舗装用枡枠盤相互の連結が図られるように構成してある。
【００２０】
然し乍、舗装用枡枠盤相互の連結手段は、図示の実施例に限定されるものでは全くなく、各舗装用枡枠盤を縦横に連結可能とするものであれば、その手段は問わない。
【００２１】
本発明に係る舗装用枡枠盤は下記のようにして使用に供される。
先ず、図４及び図５に示すように、所要枚数の舗装用枡枠盤を縦横に連結しながら、所要の地表部分に設置する。この時、地表面にメッシュ材５を敷設しておくことにより、設置の安定性と補強性が高められる。
【００２２】
次に、その上面から土砂、または、コンクリート等の充填物を流し込むことに依って、当該充填物Ｃが各枡単体１並びに補強用枡部Ｂを満たすと共に、当該各枡単体１の上縁より上位に位置するだけの高さを具えた押圧用隆起部４で囲まれた部分、すなわち、格子状上面枠２の上面内まで、当該充填物Ｃを流し込む（図７参照）。
【００２３】
然る後、図８に示すように、地均し用ローラーＲに依る転圧力付与等、上記充填物Ｃ上面に押圧力を加えれば、当該押圧力に基づき、押圧用隆起部４を介して打ち抜き用線３を打ち抜き、当該部分を下方に落下させる。そのため、充填物Ｃは圧縮されて枡単体1内に押し込まれ、その口縁ギリギリ迄の充填が成される。この時、平面鈎状に一体化された補強用枡部Ｂには切り欠き部Ｂ１が形成されているため、充填物は自由に流動し、むらの無い均一充填が図られる。
【００２４】
上記に基づき、各枡枠主体盤部Ａには、その連結部を含め、各枡単体１の隣接部分（格子状上面枠２に該当する部分）には、図８に示すような空間（押圧用隆起部４等が打ち抜かれて形成される連通空間）が形成される。また、枡単体１内には充填物Ｃが流し込まれて地表補強が図られる。
【００２５】
枡単体１内に充填物が流し込まれることに依る地表補強が図られると同時に、上記した各枡単体１の隣接部分に形成される空間の存在は、地表の雨水に対する地中浸透作用を奏すると共に、地中からの植物伸長用空間としての役割を果たし、芝等の地表上での伸長育成が図られる。
【００２６】
【発明の効果】
本発明は請求項１に記載のような構成、すなわち、複数の矩形状枡単体１を縦横に結合した形態を呈する平面矩形状を呈する枡枠主体盤部Aに対し、平面鈎状に一体化された補強用枡部Bを、その隣接する隅角辺である二辺に連設することに依って、当該枡枠主体盤部Aの相隣る二辺に対する補強を成すように構成したから、舗装用枡枠盤に対する強度的強化が図られる。
【００２７】
従って、本発明に係る舗装用枡枠盤を縦横に連結して地表を覆うと共に、各枡単体１及び平面鈎状に一体化された補強用枡部Ｂ内にコンクリート等の充填材Ｃを流し込むことに依り、地表面は整然たる碁盤の目状の舗装が施されることとなる。同時に、枡枠主体盤部Ａ部分は、平面鈎状に一体化された補強用枡部Ｂに依る周辺部補強が施され、顕著な堅牢性が付与されることとなるため、本発明に係る舗装用枡枠盤は、歩道用としては勿論、その他、駐車場用、車道用の舗装としての使用も許容化される。
【００２８】
本発明は請求項2及び請求項3に記載のような構成、すなわち、平面鈎状に一体化された補強用枡部Ｂの外壁部所要箇所に、例えば、隅角部外周壁部分に、充填物流通用切欠き部Ｂ１を形成することに依り、充填物は自由に流動し、むらの無い均一的充填が図られる。
【００２９】
本発明は請求項４記載のような構成、すなわち、枡枠主体盤部Ａとして、各枡単体１は、縦枠２ａと横枠２ｂとで形成する格子状上面枠2に対して、当該枡単体１の上縁部を連ならせることに依って互いに一体結合し、当該格子状上面枠２には、地中からの植物の伸長を阻害しないために開口する部分を、押圧力に依り打ち抜かれる打ち抜き用線3で囲撓するように構成した枡枠主体盤部Aとすることに依り、地中からの植物の伸長を阻害しないために開口する部分に対する打ち抜き作業が、地均し作業と連動して一括的に果たされる。
【００３０】
従って、当該開口作業を手作業で個々に行っていた従来において生じる、作業の煩雑性及び長時間性と言うような問題は、本発明にあっては一掃される。
【００３１】
本発明は請求項５に記載のような構成、すなわち、打ち抜き用線３をミシン孔で形成することに依り、当該打ち抜き用線３に沿った打ち抜きの確実化が図られる。
【００３２】
本発明は請求項６に記載のような構成、すなわち、押圧力に依り打ち抜かれる打ち抜き用線３で囲撓された部分内に、頂面が枡単体１の上縁より上位に位置するだけの高さを具えた押圧用隆起部6を一体形成することに依り、打ち抜き用線３に対する打ち抜きが確実に果たされる。更に、当該打ち抜き用部分の成形が舗装用枡枠盤成形と同時に果たされるため、当該部分を別部品化した場合に生じる、舗装用枡枠盤製造上の煩雑性及びコスト高性発生と言う問題発生を回避する。
【図面の簡単な説明】
【図１】本発明に係る舗装用枡枠盤の一実施例を表した平面図である・
【図２】図1におけるＸ−Ｘ線端面図である。
【図３】図1におけるＹ−Ｙ線端面図である。
【図４】図1におけるＺ−Ｚ線端面図である。
【図５】本発明に係る舗装用枡枠盤の連結状態を表した平面図である。
【図６】連結状態にある本発明に係る舗装用枡枠盤の断面図である。
【図７】充填物の流し込み状態にある本発明に係る舗装用枡枠盤の要部の拡大断面図である。
【図８】ローラーに依る押圧力付与状態にある本発明に係る舗装用枡枠盤の要部の拡大断面図である。
【図９】本発明に係る舗装用枡枠盤に依る舗装状態を表した平面図である。
【符号の説明】
Ａ  枡枠主体盤部
Ｂ  補強用枡枠部
Ｂ１  切り欠き部
１  矩形状枡単体
２  格子状上面枠
２ａ  縦枠
２ｂ  横枠
３  打ち抜き用線
４  押圧用隆起部
５  メッシュ材
Ｒ  ローラー
Ｃ  充填物
ａ  受け形状の係合部
ｂ  鈎形状の係合部
【図１】
0004189830.tif 000002
【図２】
0004189830.tif 000003
【図３】
0004189830.tif 000004
【図４】
0004189830.tif 000005
【図５】
0004189830.tif 000006
【図６】
0004189830.tif 000007
【図７】
0004189830.tif 000008
【図８】
0004189830.tif 000009
【図９】
0004189830.tif 000010